(57)【特許請求の範囲】
【請求項１】
室内空間に対して上方から照明する照明システムであって、
前記室内空間に布設されていると共に互いに間隔をあけて平行に並設された一対のレールと、
該一対のレール間に架設されていると共に該レールの長さ方向に移動可能な台座と、
該台座に設置された照明器具と、
が備えられており、
前記レールが軽溝形鋼からなり、
該レールが上側に開口する向きに配置され、該レールの内側に電気配線が収納されていることを特徴とする照明システム。
【請求項２】
請求項１に記載の照明システムにおいて、
前記照明器具が、前記レールの長さ方向に直交する水平方向に延在する直管形蛍光灯を有することを特徴とする照明システム。
【発明の詳細な説明】
【技術分野】
【０００１】
本発明は、室内空間に対して上方から照明する照明システムに関する。
【背景技術】
【０００２】
従来、室内空間に対して上方から照明する照明システムとしては、例えば下記特許文献１に示されているような、天井構造に照明器具が設置された照明システムが知られている。この照明システムでは、天井下地材に照明器具が取り付けられており、隣り合う天井パネルの間に照明器具が嵌め込まれた構成となっている。
【０００３】
ところで、倉庫や工場等のように天井が無い室内空間においては、上述したように天井構造に照明器具を取り付けることができない。このため、従来、天井が無い室内空間における照明システムでは、室内空間の上部に配設されたレースウェイや配管などに照明器具が固定されている。
【先行技術文献】
【特許文献】
【０００４】
【特許文献１】特開２００４−２２９４７５号公報
【発明の概要】
【発明が解決しようとする課題】
【０００５】
しかしながら、上記したに天井が無い室内空間における従来の照明システムでは、照明器具の位置を容易に変更することができないという問題がある。このため、例えば室内空間のレイアウトを変更する改修工事を行う際には、その改修工事に伴い多大な電気工事が必要であり、改修工事のコストが嵩む。
【０００６】
本発明は、上記した従来の問題が考慮されたものであり、照明器具の配置換えを容易に行うことができる照明システムを提供することを目的としている。
【課題を解決するための手段】
【０００７】
本発明に係る照明システムは、室内空間に対して上方から照明する照明システムであって、前記室内空間に布設されていると共に互いに間隔をあけて平行に並設された一対のレールと、該一対のレール間に架設されていると共に該レールの長さ方向に移動可能な台座と、該台座に設置された照明器具と、が備えられており、前記レールが軽溝形鋼からなり、該レールが上側に開口する向きに配置され、該レールの内側に電気配線が収納されていることを特徴としている。
このような特徴により、台座をレールに沿って移動させることで、照明器具が台座と共に移動して照明器具の位置が変更される。
また、ケーブルラック等を別途設置することなく、電気配線が目隠しされる。
【０００８】
また、本発明に係る照明システムは、前記照明器具が、前記レールの長さ方向に直交する水平方向に延在する直管形蛍光灯を有することが好ましい。
これにより、台座をレールに沿って移動させることで、直管形蛍光灯を有する照明器具が、直管形蛍光灯の長さ方向に直交する水平方向に移動する。
【発明の効果】
【００１０】
本発明に係る照明システムによれば、台座をレールに沿って移動させることで、照明器具の位置を変更することができるので、照明器具の配置換えを容易に行うことができる。これにより、例えば室内空間のレイアウトを変更する改修工事を行う際に、その改修工事に伴う電気工事を軽減することができ、改修工事のコストダウンを図ることができる。
【図面の簡単な説明】
【００１１】
【図１】本発明の実施の形態を説明するための照明システムの見上げ図である。
【図２】本発明の実施の形態を説明するための照明システムの断面図である。
【発明を実施するための形態】
【００１２】
以下、本発明に係る照明システムの実施の形態について、図面に基いて説明する。
【００１３】
図１、図２に示すように、照明システム１は、例えば倉庫や工場等のように天井が無い室内空間Ｘに対して上方から照明する照明システムであり、その概略構成としては、室内空間Ｘに布設された一対のレール２，２と、一対のレール２，２間に架設された台座３と、台座３に設置された照明器具４と、を備えている。
【００１４】
一対のレール２，２は、台座３を支持すると共に台座３の移動方向をガイドする条材であり、互いに間隔をあけて平行に並設されている。詳しく説明すると、レール２は、軽溝形鋼（Ｃチャンネル）からなり、上側に開口する向きに配置されている。つまり、レール２の上面に長さ方向に延在する開口２０が形成されている。このレール２は、図示せぬ吊りボルト等を介して梁やスラブなどから吊持されている。また、レール２は、照明器具４の配線ルートとして機能する配線ダクトであり、レール２の内側には、照明器具４の電気配線４０が収納されている。さらに、レール２は、コンセント配線ルートとして利用することも可能である。
【００１５】
台座３は、レール２の長さ方向に直交する水平方向に延在して一対のレール２，２の間に架け渡された帯状の板材であり、例えば帯鋼等からなる。この台座３は、レール２の長さ方向に平行移動可能である。詳しく説明すると、台座３の両端部には、レール２に係合される爪部３０がそれぞれ形成されている。爪部３０は、台座３の両端部から下向きに垂下されてレール２の開口２０に差し込まれており、開口２０に沿って移動可能に係合されている。
【００１６】
照明器具４は、レール２の長さ方向に直交する水平方向に延在する直管形蛍光灯４２を有すると共に直管形蛍光灯４２の長さ方向に長い平面視長方形状の照明器具であり、台座３の下面にボルト４１を介して固定されている。この照明器具４は、台座３と平行に配置されている。つまり、照明器具４は、平面視において、一対のレール２，２の間にレール２の長さ方向に直交する水平方向に延在させて配置されている。
【００１７】
上記した照明システム１によれば、台座３を一対のレール２，２に沿って移動させることで、照明器具４が台座３と共に移動して照明器具３の位置が変更される。よって、照明器具３の配置換えを容易に行うことができる。これにより、例えば室内空間のレイアウトを変更する改修工事を行う際に、その改修工事に伴う電気工事を軽減することができ、改修工事のコストダウンを図ることができる。
【００１８】
また、上記した照明システム１によれば、直管形蛍光灯４２を有する照明器具４が備えられており、直管形蛍光灯４２をレール２の長さ方向に直交する水平方向に延在させて照明器具４が配置されているので、直管形蛍光灯４２の長さ方向に直交する水平方向に照明器具４を移動させることができる。
【００１９】
また、上記した照明システム１によれば、軽溝形鋼からなるレール２の内側に電気配線４０が収納されているので、ケーブルラック等を別途設置することなく、電気配線４０が目隠しされる。これにより、コストアップを抑えつつ室内空間Ｘの上部を整然とさせることができる。
【００２０】
以上、本発明に係る照明システムの実施の形態について説明したが、本発明は上記した実施の形態に限定されるものではなく、その趣旨を逸脱しない範囲で適宜変更可能である。
【００２１】
例えば、上記した実施の形態では、レール２が軽溝形鋼からなり、また、台座３は両端に爪部３０がそれぞれ垂下された構成からなり、それら両側の爪部３０がレール２の開口２０の内側に差し込まれた構成となっているが、本発明は、他の構成の台座であってもよい。
【００２２】
また、上記した実施の形態では、直管形蛍光灯４２を有する平面視長方形状の照明器具４が備えられているが、本発明における照明器具の種類や形状は適宜変更可能であり、例えば、円形蛍光灯を有する平面視円形の照明器具であってもよく、或いは、電球を有する照明器具であってもよく、ＬＥＤ（発光ダイオード）などを用いたパネル形の照明器具であってもよい。
【００２３】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００２４】
１  照明システム
２  レール
３  台座
４  照明器具
２０  開口
４０  電気配線
４２  直管形蛍光灯
Ｘ  室内空間
【図１】
0005413672.tif 000002
【図２】
0005413672.tif 000003